(57)【要約】      （修正有）【課題】比較的重い荷重を比較的長時間にわたって運ぶとき、着用者の不快感を軽減する改善されたシンチサックバックパックを提供する。【解決手段】使用者によって背部に着用または背負われるように構成された鞄１０であって、緊締上部を有し、使用者の肩に延長するパッド入りストラップ２０を含み、ストラップ２０の各々は、紐または引き紐であるストラップ部材２２を含み、このストラップ部材２２は鞄１０の底部１４に取着され、鞄１０の上部の周囲に沿ってループし、ストラップ２０の各々はまた、ストラップ部材２２の一部を取り囲むパッド入り部材２４を含み、ストラップ部材２２にクッションを備え、鞄１０の重量を比較的大きい表面積に配分する構成とした。【選択図】図１
2013056147.tif 000002
【特許請求の範囲】
【請求項１】
持ち運び装具であって、
着用者の背部に着用できるように構成され、上部と底部とを有する前記袋体と、
前記袋体に結合され、前記着用者の肩に延長するように構成されたストラップ部材であって、スライド移動することにより前記袋体の上部の開口部を調節するように構成されるものである、前記ストラップ部材と、
前記袋体の上部に取着され、前記ストラップ部材をスライド自在に保持するように構成された肩パッドと
を有する持ち運び装具。
【請求項２】
請求項１記載の持ち運び装具において、前記肩パッドは、前記ストラップ部材を取り囲むように構成された縦鞘部を含むものである持ち運び装具。
【請求項３】
請求項２記載の持ち運び装具において、前記縦鞘部は、第１の端部に第１の開口部と、第２の端部に第２の開口部とを有し、前記第１および第２の開口部は前記ストラップ部材を受け入れるように構成されるものである持ち運び装具。
【請求項４】
請求項１記載の持ち運び装具において、前記ストラップ部材は引き紐である持ち運び装具。
【請求項５】
請求項１記載の持ち運び装具において、前記肩パッドは前記引き紐を取り囲むように構成された補強リングを含むものである持ち運び装具。
【請求項６】
請求項１記載の持ち運び装具において、前記ストラップ部材は紐である持ち運び装具。
【請求項７】
持ち運び鞄であって、
周囲を有する開口部が形成され、当該周囲に沿って延長する通路を含む上部と、
前記上部に対向する底部と、
前記底部に結合され、着用者の肩に延長するように構成された少なくとも１つの引き紐であって、前記上部に延長して、前記通路内にスライド自在に保持されるものである、前記少なくとも１つの引き紐と、
前記持ち運び鞄に取着され、前記少なくとも１つの引き紐をスライド自在に保持するように構成された少なくとも１つの肩部分と
を有する持ち運び鞄。
【請求項８】
請求項７記載の持ち運び鞄において、前記少なくとも１つの引き紐は２つの引き紐を有し、前記少なくとも１つの肩部分は第１の肩部分と第２の肩部分とを有し、前記第１の肩部分は前記持ち運び鞄の片側に取着され、前記第２の肩部分は前記持ち運び鞄の反対側に取着されるものである持ち運び鞄。
【請求項９】
請求項７記載の持ち運び鞄において、前記底部はさらに、前記端部を保持するように構成された２つの底開口部を含むものである持ち運び鞄。
【請求項１０】
請求項７記載の持ち運び鞄において、前記肩部分は、前記引き紐を保持するように構成された縦通路を有するものである持ち運び鞄。
【請求項１１】
請求項７記載の持ち運び鞄において、さらに、
外部と内部とを有し、前記内部は前記引き紐の端部を保持するように構成されるものである持ち運び鞄。
【請求項１２】
請求項７記載の持ち運び鞄において、前記肩部分は前記引き紐を取り囲むように構成された補強材を含むものである持ち運び鞄。
【請求項１３】
請求項７記載の持ち運び鞄において、前記引き紐は紐である持ち運び鞄。
【請求項１４】
請求項７記載の持ち運び鞄において、前記上部は開位置であり、前記引き紐の比較的長い長さが前記通路の中に保持されているとき、物品を受け入れるように構成されるものである持ち運び鞄。
【請求項１５】
請求項６記載の持ち運び鞄において、前記上部は閉位置であり、前記引き紐の比較的短い長さが前記通路の中に保持されているとき、物品を保持するように構成されるものである持ち運び鞄。
【請求項１６】
持ち運び装具を作製する方法であって、
開口上部と、閉鎖底部と、当該開口上部の周囲に設けられた通路とを備えた袋体を形成する工程と、
前記開口上部の第１の側に第１のパッド部材を取着し、かつ前記開口上部の第２の側に第２のパッド部材を取着する工程と、
第１の引き紐を前記通路に通過移動させ、かつ第２の引き紐を前記通路に通過移動させる工程と、
前記第１の引き紐を前記第１のパッド部材に通過移動させ、かつ前記第２の引き紐を前記第２のパッド部材に通過移動させる工程と、
前記第１および第２の引き紐の端部を前記閉鎖底部に結合する工程と
を有する方法。
【請求項１７】
請求項１６記載の方法において、さらに、
前記第１および第２の引き紐を前記通路から外側へ引き寄せることによって前記開口上部を閉じる工程を有するものである方法。
【請求項１８】
請求項１６記載の方法において、さらに、
前記第１および第２の引き紐の上から前記通路を引っ張ることによって前記開口上部をを開く工程を有するものである方法。
【請求項１９】
請求項１６記載の方法において、前記第１および第２の引き紐は、当該第１および第２の引き紐が前記第１および第２のパッド部材に挿入される前に、前記通路に挿入されるものである方法。
【請求項２０】
請求項１６記載の方法において、前記第１の引き紐は第１の方向で前記第１のパッド部材に挿入されて、次に前記通路に挿入され、その後第２の方向で前記第１のパッド部材に戻って挿入されるものであり、前記第２の引き紐は第１の方向で前記第２のパッド部材に挿入され、次に前記通路に挿入され、その後前記第２の方向で前記第２のパッド部材に戻って挿入されるものである方法。
【発明の詳細な説明】
【技術分野】
【０００１】
本出願は、持ち運びストラップを有する鞄の分野に関し、特にショルダーストラップを有する、背中に着用する鞄に関する。
【背景技術】
【０００２】
背中に着用する鞄（一般にバックパックと呼ばれる）は、通常、着用者の肩に延長する２つのストラップによって背負われて、袋体で運ばれる荷重が肩にかかる。使用者のニーズに応じて、幅広い様々な形状およびサイズのバックパックがある。ハイキングおよびキャンプ旅行用のトレッキングバックパックは、炭素繊維またはアルミニウム製の内部若しくは外部フレームを含み、１００リットルの容量を有し、重量を配分するおよび物品を区分けして収納する特徴的な機能を含み、空の状態で８ポンドの重さがある。少数の軽量な物品を運ぶためのシンチサック（引きひもバックパックとも呼ばれる）は、袋体の上部に設けられた開口部を制御するための引き紐として二役を兼ねるストラップを有するように設計される。この設計によりこれら袋体はわずか単一の鞄と２つの引き紐とを必要とするだけの簡素化が可能となり、約８リットルの容量で、ごく数オンスの重量を有するバックパックとなる。
【０００３】
バックパックにかなりの荷重が載っているとき、比較的細いストラップ上の、着用者の肩に接触する僅かな表面積への荷重の配分は、前記ストラップが荷重を１つの集中領域に押し付けるため前記着用者に身体的な不快感を生じさせる。着用者がバックパックを長時間にわたって持ち歩かなければならない場合、この不快感は恐らくかなりなものになるであろう。従って、多くのバックパックは、この問題を打開するための快適機能を含む。例えば、トレッキングバックパックは、前記荷重の配分をより良くするため、着用者の胸部、ウエスト、腰部を横切る追加ストラップを含む。例えば教科書を運ぶための中間サイズのバックパックは、着用者の不快感を軽減させるためショルダーストラップに追加の詰め物を入れる。しかしながら、これらのタイプの鞄が、すべての用途に適しているまたは望ましい分けではない。例えば、バックパックは、特定の用途に対して大き過ぎたり、かさばり過ぎたりする。これらの状況においてシンチサックまたは引きひもバックパックが適しているかもしれないが、一般にこれらバックパックは快適機能を備えていない。特に、シンチサックまたは引きひもバックパックは、袋体でかなりの荷重を運ぶ場合、恐らく着用者に不快を感じさせるであろう。
【０００４】
前述に鑑みて、比較的重い荷重を比較的長時間にわたって運ぶとき、着用者の不快感を軽減する改善されたシンチサックバックパックを提供することが望ましい。シンチサックが必要とされる用途に対して、使用者の快適さを向上させながらシンチサックバックパックの望ましい簡素さを保持することを可能にする機能を含むことが有効である。このような特徴を備えたバックパックは、比較的重い荷重を比較的長時間にわたって運ぶ使用者の快適さを向上させるに従って、シンチサックバックパックの用途を拡大させる。
【発明の概要】
【課題を解決するための手段】
【０００５】
開示の１実施形態によれば、着用者の背部に背負われるように構成された袋体を含む持ち運び装具が提供される。前記袋体は、上部と、底部と、前記袋体に取着されたストラップ部材とを含む。前記ストラップ部材は、着用者の肩に延長するように構成される。前記ストラップ部材はまた、前記袋体の上部の開口部にスライド移動することにって調節できるように構成される。前記袋体はまた、当該袋体の上部に取着され、スライド自在に前記ストラップ部材を保持するように構成された肩パッドを含む。
【０００６】
前記持ち運び装具の様々な実施形態が可能である。例えば、前記肩パッドは前記袋体の両側に取着される。前記肩パッドはまた、前記ストラップ部材を取り囲むように構成された縦鞘部を含む。前記肩パッドはまた、当該肩パッドの第１の端部に第１の開口部と、前記肩パッドの第２の端部に第２の開口部とを含み、これにより前記ストラップ部材の通路の前記縦鞘部への出入りが可能となる。前記ストラップ部材は引き紐であり、前記肩パッドは前記引き紐を取り囲むように構成された補強リングを含む。或いは、前記ストラップ部材は紐である。
【０００７】
開示の別の実施形態によれば、前記持ち運び装具は、上部を含む持ち運び鞄である。前記上部は開口部を形成し、当該開口部は周囲を有する。前記開口部はまた、前記周囲に沿って延長する通路を形成する。前記持ち運び鞄はまた、前記上部に対向する底部を含む。前記持ち運び鞄はまた、前記底部に取着され、着用者の肩に延長するように構成された少なくとも１つの引き紐を含む。前記少なくとも１つの引き紐の各々は前記通路の中にスライド自在に保持され、前記引き紐の各々は２つの端部を含む。前記持ち運び鞄はまた、前記持ち運び鞄に取着された肩部を含む。前記肩部は、前記引き紐をスライド自在に保持するように構成される。前記底部は、さらに、前記引き紐の端部を保持するように構成された２つの底開口部を有する。前記肩部は、前記引き紐を保持するように構成された縦通路を含む。前記持ち運び鞄はまた、外部と内部とを含み、当該内部は前記引き紐の端部を保持するように構成される。或いは、前記外部前記が引き紐の端部を保持するように構成される。前記肩部は、紐であるような前記引き紐を取り囲むように構成された補強材を含む。
【０００８】
開示の更に別の実施形態によれば、上部と底部とを備えた持ち運び鞄が提供され、前記上部は物品を受け入れるように構成される開位置であり、または物品を保持するように構成される閉位置である。前記上部は、比較的長い長さの引き紐が前記鞄の上部に設けられた通路の中に保持されるとき開位置である。前記上部は、比較的短い長さの引き紐が前記鞄の上部に設けられた前記通路の中に保持されるとき閉位置である。
【０００９】
開示の更に別の実施形態によれば、持ち運び装具を作製する方法は、開口上部と、閉鎖底部と、当該開口上部の周囲に設けられた通路とを有する袋体を形成する工程を含む。前記方法は、さらに、第１のパッド部材を前記開口上部の片側に、第２のパッド部材を前記開口上部の反対側に取着させる工程を含む。第１の引き紐が前記通路に挿入され、かつ第２の引き紐が前記通路に挿入される。更に、前記第１の引き紐は前記第１のパッド部材に挿入され、かつ前記第２の引き紐は前記第２のパッド部材に挿入される。前記第１および第２の引き紐の端部は、前記袋体の閉鎖底部に結合される。１実施形態において、前記引き紐は、前記通路に挿入される前に前記パッド部材に挿入される。別の実施形態において、前記引き紐は、第１の方向で前記パッド部材に挿入され、次に前記通路に挿入され、その後第２の方向で前記パッド部材に戻って挿入される。前記方法はまた、前記第１および第２の引き紐を前記通路から外側へ引っ張ることによって前記開口上部を閉じる工程を含む。前記方法はまた、前記第１および第２の引き紐の上で前記通路を引っ張ることによって前記開口上部を開く工程を含む。
【００１０】
上述の特徴および利点、並びにその他のことは、以下の詳細な記載および添付の図面を参照することにより当業者にとってより容易に明らかになるであろう。１若しくはそれ以上の様々な有利な特徴を提供するもたらされる記事を提供することが望ましいであろうが、本明細書に記載の教示は、１若しくはそれ以上の上述の利点を達成するか否かに関わらず、添付の特許請求の範囲の範囲内に属する実施形態にまで及ぶものである。
【図面の簡単な説明】
【００１１】
【図１】図１は、、使用者の肩に着用される１つの袋体と２つのストラップとの配置を含むシンチサックの正面図を示す。
【図２】図２は、袋体の内部を露出する拡大された開口部を有する図１のシンチサックの上面図を図示する。
【図３】図３は、図１のシンチサックの上部に取着されたストラップ配置の拡大側面図を示す。
【図４】図４は、図１のシンチサックの背面図を示す。
【図５】図５は、袋体に結合されたストラップ配置を有する図１のシンチサックの底部の拡大背面図を示す。
【図６】図６は、図１のシンチサックのストラップ配置のうちの１つの配置の背面図を示す。
【図７】図７は、袋体の上部が緊締され閉じられた図１のシンチサックの背面図を示す。
【図８Ａ】図８Ａは、袋体が完全に開いた状態での袋体に関連するストラップ配置のストラップの配置を図示する。
【図８Ｂ】図８Ｂは、袋体が閉じた状態での図８Ａのストラップの配置を図示する。
【発明を実施するための形態】
【００１２】
図１〜７を全般的に参照して、持ち運び装具１０を図示する。前記持ち運び装具１０は袋体１１を含み、各袋体１１は長さ１３を定義し、上部１２と、底部１４と、２つのストラップ配置２０とを有する。各ストラップ配置２０は、前記袋体１１に連結されたストラップ部材２２と、前記ストラップ部材２２に係合するパッド部材２４とを有する。以下に詳細に説明するように、前記ストラップ部材２２は前記袋体１１を運ぶのに使用され、前記パッド部材２４は当て物および荷重配分を前記ストラップ部材２２に提供する。
【００１３】
前記袋体１１は多数の異なる形状で提供される。前記袋体１１のうちの１つの例示的な形状が図１〜７に示されている。この形状は、使用者の背部に背負って運ばれるように設計および寸法決めされた袋体１１である。このようなスタイルの鞄は典型的にバックパック、シンチサック、パック、またはリュックサックと呼ばれる。在中物を前記袋体内に安全に保持するために、前記袋体は１若しくはそれ以上の開閉装置（例えば、ファスナー、スナップ、クリップ、または引き紐の緊締）を有する。図１〜７に示す袋体１１は、緊締上部を有し、本明細書においてより具体的に、引き紐式バックパックまたはシンチサックと呼ばれる。図１〜７の持ち運び装具１０は持ち運び装具の例示的な実施形態として示されたが、前記袋体１１は、シンチサックの引き紐に詰め物を提供するように構成されたかなりの数の異なる形状によって提供されることが認識されるであろう。
【００１４】
図１および２を参照して、それぞれは前記袋体１１の前面図および上面図を示す。前記袋体１１は、内部１６（図２に最も良く示す）と、外部１８（図１に最も良く示す）とを形成する。上述のように、前記袋体１１は上部１２と底部１４とを含む。前記内部１６への開口部３０が、前記袋体１１の上部１２に見られる。使用者は、この開口部３０を介して物品を前記袋体１１の内部１６に出し入れする。
【００１５】
図２に示すように、前記開口部３０は、前記袋体１１の上部１２に設けられた当該開口部３０の周囲を延長する周囲３２を形成する。通路３４は、前記周囲３２の長さに沿って続く。前記通路３４は、前記ストラップ部材２２を受け入れるように設計されかつ寸法決めされる。前記袋体１１の上部１２の拡大正面図を示す図３に示されるように、前記周囲３２はまた、前記袋体１１の外部１８から前記通路３４へのアクセスを提供する通路アクセス開口部３６を含む。図３は明確さのため、１つの通路アクセス開口部３６を示すが、図４は前記袋体１１の上部１２で互いに離間する２つの通路アクセス開口部３６を明示する。これらの図面に示された実施形態では２つの通路アクセス開口部３６を有する袋体１１を明示するが、前記袋体１１が当該袋体１１の上部１２の周囲３２に設けられた前記通路３４への唯一１つの通路アクセス開口部３６を代わりに含むこともできることは理解されるであろう。
【００１６】
図１に戻って参照して、前記袋体１１の底部１４は当該袋体１１の内部に置かれた物品を保持するために閉鎖されており、前記袋体１１が運ばれるとき重力により下方に引っ張られる。図５は、前記袋体１１の底部１４の拡大背面図を提供し、前記ストラップ部材２２の端部を受け入れるように設計されかつ寸法決めされた底開口部４０を示す。前記底開口部４０は、前記袋体１１の外部１８から内部１６へ延出する前記ストラップ部材２２のアクセスを提供する。或いは、前記底部１４は前記袋体１１の外部１８にタブ構成要素を含み、前記底開口部４０は前記タブ構成要素上に形成されて、前記袋体１１の内部１６へのアクセスを提供しないで前記外部１８を通過する。前記底開口部４０は補強材４２に囲まれ、この補強材は補強リングまたはグロメットの形状である。この補強材は、前記底開口部４０の耐久性を向上させるあらゆる形状である。或いは、前記底開口部４０は、当該底開口部４０の周囲に別個の補強材４２含まない。図４に示す袋体１１は、当該袋体１１の底部１４に沿って互いに離間する２つの底開口部４０を含む。或いは、前記袋体１１は、１つの底開口部４０を含むのみである。
【００１７】
図１〜４に示すように、前記袋体１１は、当該袋体１１の外部１８に別個のポケット４４を含む。これらのポケット４４は、前記袋体１１を運ぶ間、物品を別々に保持するための追加の区分を提供する。前記ポケット４４は、前記袋体１１の方向や位置が変わったとき、前記ポケット４４内に前記物品を保持するための開閉装置４６を含む。示している実施形態において、前記開閉装置４６はファスナー形状である。しかしながら、前記開閉装置はまた、例えば、スナップ、ボタン、結び紐、または前記ポケット４４にアクセスおよび使用するために開閉できるあらゆる他の装置の形状である。別の実施形態において、前記袋体１１はまた、当該袋体１１の内部１６にポケット４４を含む。
【００１８】
図１、３、４、６、および７を全般的に参照して、前記袋体１１はまた、ストラップ配置２０を含む。各ストレップ配置２０は、ストラップ部材２２とパッド部材２４とを含む。各ストラップ部材２２は、前記袋体１１の上部１２および底部１４に結合され、前記袋体１１の荷重を担い、さらに前記袋体１１の上部１２を緊締して閉じて在中物を保持する。各パッド部材２４は、スライド自在にストラップ部材２２を受け入れ、前記ストラップ部材２２に当て物を提供するのに使用され、並びに前記ストラップ部材２２によってかけられる荷重を配分させる。前記ストラップ部材２２に当て物を提供して荷重を配分することによって、特に前記袋体１１が比較的重い在中物を収納している場合や、使用者が比較的長時間にわたって前記袋体１１を運ぶような状況の場合に、前記パッド部材２４は使用者の快適さを向上させる。
【００１９】
図６に最も良く示されるように、各パッド部材２４は、肩接触面５０と収容面５２とを含む。１実施形態において、前記肩接触面５０は、他の材料も可能であるが、可撓性、吸収性、および多孔質の柔らかいメッシュ素材を含み、使用者に柔らかいスポンジ状の接触面を提供する。前記肩接触面５０は、さらに、前記柔らかいメッシュ素材に隣接して可撓性および可鍛性のあるパッドも含む。前記パッドは、使用者の肩の動きに適応して内部クッションを提供し、これは例えば連続気泡発泡体またはその他の適切な当て物材料である。各パッド部材２４は、さらに、前記パッド部材２４の長さに沿って前記肩接触面５０と収容面５２との間に延長する内部チャネルを含む。前記縦チャネルまたは縦鞘部５４は、前記ストラップ部材２２が前記パッド部材２４の内側に収まって自由にスライド移動できるように寸法決めされて成形される。
【００２０】
各パッド部材２４は、前記袋体１１の内部１６において前記袋体１１の上部１２に留められる。各パッド部材２４の一端のみが前記袋体１１の上部１２に固定され、前記パッド部材２４の反対端ははためくような仕様で前記袋体１１に対して可動である。これにより、前記袋体１１が背中に着用されるとき、前記パッド部材２４は使用者の肩に延長することが可能となる。前記パッド部材２４が使用者の肩の上に延びるとき、前記パッド部材２４の肩接触面５０は使用者の肩に接触して詰め物および荷重配分を提供する。前記パッド部材２４の収容面５２は、使用者の肩から離れる方向に向いており、前記縦鞘部５４の残りの部分を提供している。前記パッド部材２４は、前記袋体１１の全長１３にまで延長しない。
【００２１】
各パッド部材２４はまた、補強材４２を含み、この補強材は当該パッド部材２４が前記袋体１１の上部１２に取着する位置から離れた、縦鞘部５４の反対側に位置する。上述のように、前記補強材４２は、補強リングまたはグロメットの形状、或いは前記パッド部材２４に改善された耐久性を提供するあらゆる形状である。
【００２２】
図４に最も良く示されるように、前記ストラップ部材２２は、前記袋体１１の上部１２および底部１４の両方に結合される。各ストラップ部材２２は、引き紐または紐の形状であり、２つの端部２３（第１の端部２３ａおよび第２の端部２３ｂ）を有する。１実施形態において、前記ストラップ部材２２は円形断面を有するが、その他の形状でも可能である。別の実施形態において、前記ストラップ部材は長さが約１００〜２００センチメートルで直径が約１センチメートルの紐である、しかし、その他多くの長さおよび直径も可能であることは認識されるであろう。いくつかの実施形態において、前記ストラップ部材２２は弾性材料から作られており、縦（長さ）方向に比較的伸縮性がある、しかし、その他の材料もまた可能である。例えば、前記ストラップ部材２２は、スパンデックス（エラステイン）繊維またはその他の繊維から成っている。或いは、前記ストラップ部材２２は、比較的薄く可撓性があり、袋体を運ぶストラップとして使用可能なあらゆる形状で可能である。
【００２３】
前記ストラップ部材２２は、前記底開口部４０を介して前記袋体の底部１４に結合される。図４に示すように、前記ストラップ部材２２の端部２３ａ、２３ｂは、前記底開口部４０を前記袋体１１の外部１８から内部１６へ通過移動する。図２に示すように、前記袋体１１の内部１６において、前記端部２３ａ、２３ｂは前記底開口部４０の内部１６側で結びつけることによって保持される。或いは、前記端部２３は、当該端部２３が前記底開口部４０を介して前記袋体１１の内部１６から外部１８へ通り抜けるのを防ぐような他のあらゆる方法によって保持される。
【００２４】
図３〜６を全般的に参照して、前記ストラップ部材２２は、前記袋体１１の底部１４で前記補強材４２を通過して挿入され（図５が最も良く示す）、前記パッド部材２４の補強材４２を通過して挿入され（図６が最も良く示す）、前記縦鞘部５４を通過して挿入され（図６が最も良く示す）、前記通路アクセス開口部３６を通過して挿入され（図３が最も良く示す）、通路３４全体を通過するように送り込まれ、および挿入されたのと同じ通路アクセス開口部３６を通過して前記通路３４から出される（図３が最も良く示す）。前記ストラップ部材２２は次に、前記縦鞘部５４、前記パッド部材２４の補強材４２、および前記袋体１１の底部１４に設けられた前記底開口部４０の補強材４２を通過して、戻る方向で挿入される。前記ストラップ部材２２の前記袋体１１の上部１２、底部１４、およびパッド部材２４の関係は、前記袋体１１の上部１２と底部１４を連結するストラップ配置２０を提供することにより、前記袋体１１の運搬が可能となり、前記パッド部材２４を前記ストラップ配置２０に一体化することにより、前記袋体１１を運ぶ間、快適さの向上および前記ストラップ部材２２の荷重の配分を可能にする。これらの図面に示される実施形態は、前記袋体１１上で互いに離間する２つのストラップ配置２０を含む。代替的な実施形態において、前記袋体１１が使用者の背部に着用されるとき、前記袋体は、使用者の片方の肩および胸部のみを横切って延長するように構成された単一のストラップ配置２０を含む。
【００２５】
前記ストラップ部材２２の前記パッド部材２４および前記袋体１１との関係の配置は図８Ａおよび図８Ｂに全般的に図示されているが、ここでは、前記ストラップ部材の経路をより明確に示すため、前記ストラップ部材２２は実線で、前記パッド部材２４および前記袋体１１は破線で示されている。図８Ａは、前記開口部３０が十分に拡大された開位置における前記ストラップ部材の配置を示す。図８Ｂは、前記開口部が縮小／閉位置におけるストラップ部材の配置を示す。図８Ａおよび図８Ｂに示すように、前記ストラップ部材２２は、前記袋体の前記上部通路３４内に重複ループを形成する。ストラップ部材２２が本明細書では単一の連続した細長い部材として図示されているが、各ストラップ部材２２は、代替的に、端部で結合されて前記ストラップ部材を形成する複数の細長い部材から成る（例えば、複数の短い紐がそれらの端部で結び合され、接着され、または接続されてより長い紐を形成する）ことは認識されるであろう。
【００２６】
続けて図８Ａおよび図８Ｂを（以下で参照するように）図２、５、および６と共に参照して、持ち運び装具の製造方法は以下の工程で構成される。前記袋体１１の内部１６（図２に示す）および外部１８は、前記袋体１１の開口側として周囲３２を有する上部１２と、前記袋体の閉鎖側としての前記底部１４とを提供する工程により、作成される。前記通路３４は、前記袋体１１の上部１２の周囲３２内に作成され、通路アクセス開口部３６は通路３４と前記袋体１１の外部１８との間に形成される。前記底開口部４０が作成され、補強材４２によって補強される（図５に示す）。前記パッド部材２４は、肩接触面５０（図６に示す）と収容面５２（図６に示す）を取着する工程によって形成され、その間この２つの間は縦鞘部５４のために開けたままにしておく。前記補強材４２が前記パッド部材２４（図６に示す）に追加される。前記第１のストラップ部材２２の第１の端部２３ａは、前記袋体１１の底部１４の内部１６に保持される。前記第１のストラップ部材２２の第２の端部２３ｂは、前記袋体１１の底部１４に備わる補強材４２を通過し、前記パッド部材２４に備わる前記補強材４２を通過し、前記パッド部材２４に設けれた前記縦鞘部５４を通過し、前記袋体１１の上部１２に備わる前記通路アクセス開口部３６を通過し、および前記袋体１１の上部１２に備わる前記開口部３０の周囲３２の周囲に設けられた前記通路３４を通過移動する。前記第１のストラップ部材２２の第２の端部２３ｂは、前記通路３４全体を通ってから、それが前記通路３４に入る時に通った前記通路アクセス開口部３６に戻るとき、それ自体が来た経路を逆戻りする。このように、上述の貫通作業は第１の方向で起こると考慮することができる。前記ストラップ部材２２が来た経路を逆戻りすると、残りの貫通作業（以下に記載されている）は第２の方向で完了する。前記第１のストラップ部材２２の第２の端部２３ｂは、前記通路アクセス開口部３６を通って戻り、前記縦鞘部５４を通って戻り、前記パッド部材２４の補強材４２を通って戻り、および前記袋体１１の底部１４に備わる前記底開口部４０の補強材４２を通って戻される。前記第１および第２の端部２３ａ、２３ｂは、前記袋体１１の内部１６で結び付けられ、これによりいずれかの端部２３が前記底開口部４０から引き抜かれるのが防がれる。上記の工程は順序を持って記載されているが、前記工程は上記順番または任意の特定の順番で実行される必要性は必ずしもない。前記袋体１１を実現するあらゆる工程の順番は、図４および７に示す前記袋体１１を作成するのに適している。
【００２７】
使用中、前記袋体１１は使用者の背部に着用され、２つのストラップ配置２０が使用者の肩の上に延びる。前記ストラップ配置２０のストラップ部材２２は、前記袋体１１の底部にて結合され、前記通路アクセス開口部３６を通って、および前記袋体１１の上部１２に備わる前記開口部３０の周囲３２の周囲に延長する前記通路３４を通って通過移動される。前記通路アクセス開口部３６は前記袋体１１の上部１２に離間して配置されており、これにより前記ストラップ部材２２は離間した位置の前記通路アクセス開口部３６に進入できる。このように、両方のストラップ部材２２が、前記通路３４から外側（図８Ｂで矢印で示される方向）に引っ張られると、前記ストラップ部材２２を対向する方向で引っ張り、その結果前記袋体１１の上部１２に備わる前記開口部３０が内側に折り込まれる。このようにして、前記袋体１１は、開構成の開口上部を有するもの（図８Ａに最も良く示す）から、閉構成の閉鎖上部を有するもの（図８Ｂに最も良く示す）に再構成される。前記袋体１１が閉構成にあるとき、前記袋体１１の配向や位置が変更しても、前記袋体１１の内部１６内の物品は保持されるであろう。前記パッド部材２４（破線で示す）の前記ストラップ部材に対する位置により、前記使用者が前記袋体１１を着用している間、使用者が前記袋体１１を前記開構成から前記閉構成に変換するすることが可能であり、変換中において前記ストラップ部材２２が使用者の肩を摩擦しない。この変換の間、前記ストラップ部材の代わりに前記パッド部材２４が使用者の肩に接触することにより、詰め物が次第に薄くなったストラップ部材２２による不快な擦傷および炎症を防止する。
【００２８】
図４、６、および７を参照して、使用者によって前記袋体１１が装着されているとき、前記ストラップ部材２２は使用者の肩の上に延びて、前記袋体の在中物の荷重を担う。前記ストラップ部材２２が比較的細いため、前記袋体１１の荷重は使用者の肩のわずかな表面積に集中する。このため、前記袋体１１内の物品が重い場合または長時間にわたって運ばれなければならない場合、不快感を生じさせる。従って、使用中、前記袋体１１のストラップ配置２０はまた、前記ストラップ部材２２より幅広く、より詰め物がある肩パッドまたはパッド入りストラップ２４を含む。この実施形態において、前記肩パッドまたは肩部はパッド部材と呼ばれる。前記ストラップ部材２２は前記袋体の底部１４と上部１２との間にある前記パッド部材２４を通過移動し、これにより前記袋体１１が使用者の背中にあるとき、前記パッド部材２４は使用者の肩の上に位置に合わせられる。前記パッド部材２４は肩接触面５０を有し、これはクッション性があり柔らかく、使用者の肩の上に置かれて追加の当て物および荷重配分を提供し、さらに使用者の快適さを向上させる。
【００２９】
パッド入りストラップを有するバックパックの１若しくはそれ以上の実施形態の前述の詳細な説明は、限定ではなく例示のみを目的として本明細書に提示された。本明細書に記載されたその他の特徴および機能を組み込まないで得られる、本明細書に記載される特定の個々の特徴および機能の利点が存在することは認識されるであろう。更に、上記で開示された実施形態の様々な代替手段、修正、変更、改善、並びにその他の特徴および機能、またはそれらの代替は、多くの他の異なる実施形態、システム、および適用に望ましい方法で組み合わされる。本明細書の現在予見できないまたは予期できない代替手段、修正、変更、または改善は当業者によってその後実行されるものであり、それはまた添付の特許請求の範囲によって包含されることを目的としている。従って、あらゆる添付の特許請求の範囲の趣旨および範囲は、本明細書に含くまれる実施形態の記載に限定されるべきではない。
【図１】
2013056147.tif 000003
【図２】
2013056147.tif 000004
【図３】
2013056147.tif 000005
【図４】
2013056147.tif 000006
【図５】
2013056147.tif 000007
【図６】
2013056147.tif 000008
【図７】
2013056147.tif 000009
【図８Ａ】
2013056147.tif 000010
【図８Ｂ】
2013056147.tif 000011
【外国語明細書】
2013056147000001.pdf
2013056147000002.pdf
2013056147000003.pdf
2013056147000004.pdf